(57)【特許請求の範囲】
【請求項１】
フィルムリール１から引き出されたマルチフィルム２を下方の土壌面に誘導しながら押え輪３により押圧し、その上面に覆土ディスク１４により覆土させるマルチフィルム敷設機において、引き出されたフィルム２を下方から掬い上げてカッター５の下方で水平姿勢に保持させる切断位置Ｂと、同フィルム２を案内するロール１３と共に後方へ退避させるフイルム引出位置Ａとに切替え可能なフィルム支持ベース１２を設けると共に、このフィルム支持ベース１２を前記切断位置Ｂに設定し前記フィルム２の上方にカッターを位置させ、このカッターをモータＭ１により左右横方向に移動させてフィルムを切断させるように構成したことを特徴とするマルチフィルム敷設機のフィルム切断装置。
【発明の詳細な説明】
【０００１】
【発明の属する技術分野】
この発明は、マルチフィルム敷設機の敷設側マルチフィルムを切り離すフィルム切断装置に関する。
【０００２】
【発明が解決しようとする課題】
マルチフイルムの敷設行程の終る度毎に、フィルムリールから引き出されるマルチフィルムから、既設側のマルチフィルムを切り離して、次の敷設行程に移るとき、該フィルムリールからのマルチフィルムの引出が簡単に行われることを要する。しかしながら、該マルチフィルムをフィルム切断装置に通してから土壌面近くへ引出案内させる形態では、フィルムリールから土壌面へのマルチフィルムの引出案内の設定操作が面倒である。
【０００３】
【課題を解決するための手段】
この発明は、フィルムリール１から引き出されたマルチフィルム２を下方の土壌面に誘導しながら押え輪３により押圧し、その上面に覆土ディスク１４により覆土させるマルチフィルム敷設機において、引き出されたフィルム２を下方から掬い上げてカッター５の下方で水平姿勢に保持させる切断位置Ｂと、同フィルム２を案内するロール１３と共に後方へ退避させるフイルム引出位置Ａとに切替え可能なフィルム支持ベース１２を設けると共に、このフィルム支持ベース１２を前記切断位置Ｂに設定し前記フィルム２の上方にカッターを位置させ、このカッターをモータＭ１により左右横方向に移動させてフィルムを切断させるように構成したことを特徴とするマルチフィルム敷設機のフィルム切断装置とする。
【０００４】
【発明の作用効果】
フィルムリール１から引出されるマルチフィルム２は、下方の土壌面に押え輪３によって押え付けられ、更に覆土ディスク１４により覆土されてフィルムが敷設されていく。
敷設行程が終ると一旦機体走行を停止して、フィルムガイド６を移動させると共に、フィルム支持ベース１２を切断位置Ｂに位置させる。これにより、フィルムリール１から押え輪３側へ引き出されているマルチフィルム２は、下方から掬い上げられ水平姿勢となる様、フィルムカッター５の切断作用域へ移動させられる。そして、モータＭ１を駆動させてフィルムカッター５を左右横方向に移動させ、マルチフィルム２を切断分離する。よって、マルチフィルム２の切断操作が容易になると共に確実に切断できる。
そして、マルチフィルム２の切断後は、前記フィルム支持ベース１２をフィルム引出位置Ａに切替える。これにより、フィルム支持ベース１２は後方へ退避し、フィルムリール１から引出されるマルチフィルム２は、極力カッターが作用しない状態で円滑に引き出すことができ、次行程の敷設作業を行うことができる。
【０００５】
【実施例】
四輪走行形態のトラクタ車体の後側に昇降可能に連結するマルチフィルム敷設機４は、前部にロータリ耕耘砕土装置７を配置し、この後側に培土器８を設けて、耕耘土壌を一定幅の畝土壌面に成形する構成とする。９は畝間の溝面に接地するゲージホイルである。１０は耕耘砕土装置７のフレームで、マスト１１を有し、後部にはマルチフィルム敷設機４を装着できる。
【０００６】
前記マルチフィルム敷設機４は、一定幅のマルチフイルム２をロール巻きにして横方向水平状に支架するフィルムリール１と、このフィルムリール１のマルチフイルム２を引出案内するフィルム支持ベース１２や案内ロール１３等からなるフイルムガイド６と、モータＭ１によってナイフ状、又は回転自在なディスク状のカッターをマルチフイルム２の幅に沿って左右へ往復移動させて切断作用を行うフィルムカッター５と、該フィルムリール１から引き出されるマルチフイルム２を前記培土器８によって成形された土壌面に押えつけて被覆させてスポンジ材等からなる押え輪３と、この土壌面に被覆されるマルチフィルム２の側縁部に培土してフィルム剥離を防止する覆土ディスク１４等から構成される。
【０００７】
前記押え輪３は、畝成形の土壌面にマルチフィルム２を敷設する場合は、畝上面にマルチフィルム２を押えつける畝押え輪（乃至ロール）３１と、溝面に押えつける溝押え輪３２とから構成するとよい。このような押え輪３は、フレーム１５の後端に対して起伏回動可能の支持アーム１６に装着されて、非作業時は上昇位置に維持させることができる。
【０００８】
前記フレーム１５には、フィルムガイド６とフィルムカッター５とが設けられる。フレーム１５に対して前後回動自在に支持軸１７回りに設けられるガイドアーム１８の先端に、フィルム支持ベース１２と案内ロール１３とが配置される。このガイドアーム１８の基部にはギヤドモータＭ２によって伸縮されるピストン１９が連結されて、このギヤドモータＭ２の駆動によってガイドアーム１８が支持軸１７の回りに回動されて、フィルムリール１からマルチフィルム２の引出を行わせる引出位置Ａと、フィルムカッター５によるマルチフィルム２の切断を行わせる切断位置Ｂとに切替えることができる。３５はフィルムガイド杆である。
【０００９】
フィルムカッター５は、前記切断位置Ｂのフィルム支持ベース１２上に対向して設けられ、ホルダ２３に設けられるギヤドモータＭ１の駆動でピニオン２０を正・逆転させて、このピニオン２０をラック２１に噛合させて、ピニオン２０及びナイフ２２を有したホルダ２３を左右に移動し、このラック２１と一体的に左右移動するナイフ２２によってフィルム支持ベース１２上面に支持するマルチフィルム２を横方向に切断する。切断位置Ｂのマルチフィルム２は、フィルムリール１から前方のフィルム支持ベース１２上面に案内されて、この前端の案内ロール１３を経て後方下部の押え輪３に向けて張圧されるため、該フィルム支持ベース１２にフィルムカッター５が作用すると容易に切断される。
【００１０】
フィルムガイド６の引出位置Ａでは、フィルムリール１から押え輪３への引出姿勢のマルチフイルム２Ａから後方にフイルム支持ベース１２や案内ロール１３等が後退されるために、マルチフィルム２Ａの引出が円滑に行われる。又、マルチフイルム２の敷設行程が終って折返す等のときは、敷設作業姿勢のまゝで進行を停止して、ガイドアーム１８を引出位置Ａから切断位置Ｂへ回動させる。このときモータＭ２の駆動によってガイドアーム１８が前側へ作動されて、引出位置Ａにあるマルチフィルム２Ａを、掬い上げてフィルム支持ベース１２と案内ロール１３とで支持して張圧する。モータＭ１の駆動でナイフ２２が作動されて、マルチフィルム２Ｂをこのフィルム支持ベース１２上で切断する。
【００１１】
このようにしてマルチフィルム２を切り離すと、トラクタ車体側のリフトの上動で、マルチフィルム敷設機４を耕耘砕土装置７と共に上昇させて、折返作業行程に移り、フィルムガイド６を引出位置Ａに戻して、フィルムリール１から引き出されるマルチフィルム２Ａを土壌面と押え輪３との間に押圧させて、機体の前進により、敷設を行わせる。
【００１２】
前記ガイドアーム１８には、フィルムクランプ２４が設けられていて、フィルムカッター５が切断するときは、この切断するマルチフィルム２の左右両側部を挟持して、横方向へ引っ張り、ナイフ２２による切断が行われ易い状態に維持する。フィルム切断が終るとこのフィルムクランプ２４の挟持を解放する。２５はマルチフィルム２の下側の受クランプ、２６はこの受クランプ２５上面に上下に回動してマルチフイルム２の上面を押える挟持クランプで、電磁コイル２７を有し、この電磁コイル２７に通電することにより、挟持クランプ２６を磁化させて受クランプ２５との間にフィルム挟持を行わせることができる。又、この挟持クランプ２６はガイドアーム１８の引出位置Ｂとの切替回動によってピン２８回りに大きく開閉して、マルチフィルム２の案内姿勢と解放姿勢との切替えを行う構成としている。
【００１３】
前記のフィルムクランプ２４を用いる形態では、切断後のマルチフィルム２の先端部を、前記フィルムカッター５による切断位置から押え輪３の近くまで引き出すようにして、敷設開始時のマルチフィルム２の敷込開始を行い易くする。このため、図４のように左右両側のフィルムクランプ２４をほゞフィルムガイド６によって案内維持されるマルチフィルム２Ｂの方向に沿う環状のガイド溝２９を前記ガイドアーム１８と一体的にして設け、このガイド２９に沿って左右のフィルムクランプ２４を案内させて移動することができる。
【００１４】
このフィルムクランプ２４の移動は、モータＭ３によって回転されるアーム３０によって行われ、このアーム３０の長孔３３と溝２９とに、フィルムクランプ２４から外側方へ突出するガイドピン３４が嵌合されている。前記フィルムクランプ２４のマルチフィルム挟持開始位置では、モータＭ３は停止していて、フィルムカッター５がマルチフィルム２の切断を終ると、モータＭ３のスイッチがＯＮされて、アーム３０が１回転される。これによってマルチフィルム２の左右両端部を挟持したフィルムクランプ２４がガイド溝２９に案内されて、切り離されたフィルムリール１側のマルチフィルム２の端部をフィルムガイド６に案内させながら下方へ引き出して、押え輪３の近くにまで引き出す。このマルチフィルム２の引出が終れば、フィルムクランプ２４の挟持を開放して、フィルムクランプ２４は元位置に戻る。
【００１５】
図５〜図７に示す比較例で、上例と異なる点は、前記マルチフィルム敷設機４で土壌面に敷設されたマルチフィルム２をフィルムカッター５で切断する場合の、切断個所のマルチフィルム２面に沿って紙製のテープ３６を貼り付けることにより、マルチフィルム２面を硬質化させ、切断を行い易くし、又、次行程でのマルチフィルム２端の敷込を行い易くするものである。テープ３６は表面に接着剤を有してリール３７にロール巻きにして設けられ、フィルムクランプ２４で左右に引っ張った状態のマルチフィルム２の切断位置を横方向へ移動させて接着させる。
【００１６】
前記フィルムカッター５は、電熱ヒータコイルの加熱によって切断できる構成とし、前記テープ３６を貼り付けた中央線に沿って下側から押し当てることにより、マルチフィルム２と共にテープ３６を一緒に切離しすることができる。３９はカッター５のカッタアーム、４０はこの操作ワイヤー、４１はリターンスプリングである。
【００１７】
前記押え輪３の前側には、マルチフィルム２の左右両端部を下面から押上げて、この押え輪３の前周面に挟持する挟持輪３８を設け、敷設行程の終端で敷設機４を耕耘砕土装置７と共に非作業位置へ上昇させた状態Ｕでもフィルム切断を行うことができる。なお、４２はトラクタ車体、４３は後車輪、４４はリフトアーム、４５は覆土コンベア、４６は覆土ホッパー、４７は覆土シャッター、４８は覆土シュータで、敷設マルチフィルム２の中央部上面に土壌をのせるものである。
【００１８】
図８は比較例で、上例と異なる点は、前記フィルムカッター５を、電熱ヒータに代えて、ナイフ形態としてテープ３６のリール３７フレーム４９と一体的に左右方向へ移動させて、マルチフィルム２の上面にテープ３６を貼着けると同時に、この貼着テープ３６の中央部分に沿ってナイフを通して切断するものである。図９の比較例において、上例と異なる点は、前記テープ３６をマルチフィルム２の上面と下面との両側面に貼り着けるものである。５０は、挟持ロールで、リール３７と一体的に移動でき、テープ貼着部を押圧して接着効果を高める。上下の挟持ロール５０間はフィルムカッター５を介して連結され、テープ３６幅の中央部に沿って切断することができる。
【００１９】
図１０における比較例で、上例と異なる点は、マルチフィルム２の切断個所におけるフレーム部に、上下一対の挟持ロール５１を左右方向に向けて設けて、マルチフィルム２を案内させて挟持できる構成とし、この挟持ロール５１の近くに沿って上下一対のレール５２を設け、このレール５２にＶ字形態のフィルムカッター５を案内させて、戻しばね５３に抗して引っ張るワイヤー５５の操作で、移動させて該マルチフィルム２を切断するものである。５４はフィルムカッター５と対向する固定刃である。５６はワイヤー５５の滑車である。
【００２０】
図１１における比較例で、上例と異なる点は、前記Ｖ字形態のフィルムカッター５を左右一対に設けた構成で、ワイヤー５５を引くことにより左右両側部から同時に中央部へ引き寄せてマルチフィルム２を切断する。
【図面の簡単な説明】
【図１】マルチフィルムカッター部の側面図。
【図２】マルチフィルム敷設機部の側面図。
【図３】マルチフィルムカッター部の正面図。
【図４】フィルムクランプ部の移動を案内するカムガイド部の側面図と、フローチャート。
【図５】比較例として示すマルチフィルム敷設機の側面図。
【図６】そのフィルムカッター部の背面図、平面図、その一部の拡大平断面図。
【図７】そのテープ貼着部の平面図、側面図。
【図８】比較例として示すテープ貼着部の平面図、側面図、その一部正面図。
【図９】比較例として示すテープ貼着部の平面図、正面図。
【図１０】フィルムカッター部の斜視図。
【図１１】フィルムカッター部の斜視図。
【符号の説明】
Ｍ１  モータ
１    フィルムリール
２    マルチフィルム
３    押え輪
４    マルチフィルム敷設機
５    フィルムカッター
６    フィルムガイド
１２    フィルム支持ベース
【図１】
0003677937.tif 000002
【図２】
0003677937.tif 000003
【図３】
0003677937.tif 000004
【図４】
0003677937.tif 000005
【図５】
0003677937.tif 000006
【図６】
0003677937.tif 000007
【図７】
0003677937.tif 000008
【図８】
0003677937.tif 000009
【図９】
0003677937.tif 000010
【図１０】
0003677937.tif 000011
【図１１】
0003677937.tif 000012